(57)【要約】【課題】  この発明は、格別の装置を用いることなく、通常の蓋と同様の手法によって容器口部に装着でき、かつ改竄防止目的の封緘機能を得ることのできる包装用容器の封緘装置を得ることを課題とするものである。【解決手段】  この発明は、開口部周縁部が下向きに形成された容器本体１に蓋体４が嵌装される合成樹脂製の容器において、前記蓋体４を前記容器本体１の開口部の周縁部下縁部６よりも下方に至る周壁５を有するものとし、蓋体４の周壁５に前記容器本体１の開口部の周縁部下縁部６に係止する係止片７を複数形成し、、前記蓋体周壁５の下縁を起点として周壁の上部に向けて切断案内部１０を形成して封緘装置を構成する。【選択図】  図１
2006321499.tif 000002
【特許請求の範囲】
【請求項１】
開口部周縁部が下向きに形成された容器本体に嵌装される合成樹脂製の蓋であって、
前記蓋体は、前記容器本体の開口部の周縁部下縁よりも下方に至る周壁を有し、
この周壁に前記容器本体の周縁部下縁に係止する内側斜め上向きの係止片が複数形成され、
前記蓋体の周壁にはその下縁から周壁の上部に向けて切断案内部が形成され、
前記係止片と周縁部下縁との係合により封緘され、切断案内部に沿って蓋体周壁を破断することにより封緘が解除されるようにした
包装用容器の封緘装置
【請求項２】
係止片は、蓋体の周壁をカットし、カット部を内側向きに保形して形成した、請求項１記載の包装用容器の封緘装置
【発明の詳細な説明】
【技術分野】
【０００１】
この発明は、包装用容器の封緘装置に関するものである。
【背景技術】
【０００２】
アイスクリーム、氷菓、総菜などを収納し店頭で販売される容器においては、一部の例外を除き、そのほとんどが容器本体にオーバーキャップが施されているのみで、改竄防止目的の封緘機能をもつインナーシールやキャップは使用されていない。
また、総菜容器などは、店頭において容器に内容食品を盛りつけた時点でキャップを行うケースも多く、複雑な封緘構造の容器を採用することはできない。
【特許文献１】特開２００３−２８５８５３号
【０００３】
上記特許文献に開示された発明は、容器開口部のフランジ下面に係合するように、蓋の内壁に上向き係止切り込み部を形成し、蓋が外れにくくしたものである。この発明においては蓋の離脱防止機能は得られても、改竄防止目的の封緘機能を得ることはできない。
【特許文献２】特開２００３−３３５３５２号
【０００４】
上記特許文献に開示された発明は、蓋体のスカート壁の下部に、後加工により係止壁を形成して封緘構造とするものであり、前記後加工のために加工装置が必要である。
【０００５】
そこで、かかる問題点を解決するものとして、出願人は先に、口縁部外側に下向きの傾斜面を有する凸部が形成された容器本体に嵌装される合成樹脂製の蓋であって、前記蓋は前記容器本体の凸部に沿い、その下側へ至る係止壁を形成し、前記蓋の係止壁には縦方向の切り込みを複数形成すると共に、蓋の係止壁の側部に環状の破断部を形成した封緘装置を提案した（特願２００４−３０８０６１号）。
【発明の開示】
【発明が解決しようとする課題】
【０００６】
この発明も、上記先の出願人の発明と同様、格別の装置を用いることなく、通常の蓋と同様の手法によって容器口部に装着でき、かつ改竄防止目的の封緘機能を得ることのできる包装用容器の封緘装置を得ることを課題とするものである。
【課題を解決するための手段】
【０００７】
この発明は、開口部周縁部が下向きに形成された容器本体に蓋体が嵌装される合成樹脂製の容器において、前記蓋体を前記容器本体の開口部の周縁部下縁よりも下方に至る周壁を有するものとし、蓋体の周壁に前記容器本体の開口部の周縁部下縁に係止する係止片を複数形成し、、前記蓋体周壁の下縁を起点として周壁の上部に向けて切断案内部を形成して封緘装置を構成する。
前記「開口部周縁部が下向きに形成された」とは、蓋体の係止片が係止し得る形状を意味する。具体的には、図面に示すように下端縁が下向きに切り離された形状の他、開口部周縁部がカーリング加工若しくは巻締め加工されている場合であっても、蓋体の係止片が係止しえる限り、この発明における「開口部周縁が下向きに形成された」に含まれる。
また、「周縁部下縁」とは、下端縁が下向きに切り離された形状の場合は、その切り離された縁をいい、カーリング加工若しくは巻締め加工されている場合は、カールされた周縁部の下死点をいう。
前記係止片と周縁部下縁との係合により封緘され、切断案内部に沿って蓋体周壁を破断することにより封緘が解除される。前記蓋体の周壁下方には摘み片を連設し、摘み片を引き上げて切断案内部を破断できるようにしておくことが好ましい。
請求項２は、係止片を、蓋体の周壁をカットし、カット部を内側斜め上向きに保形して形成したものである。
【０００８】
前記容器本体の周縁部を下向きに形成するのは、周縁部の下縁に蓋体の係止部を係止させるためである。したがって、周縁部の具体的な断面形状は以下の実施例に示すような弧状の他、直線的な傾斜面や垂直面でもよい。
前記蓋体の係止片は、前記容器本体周縁部の下縁に係止することのできる形状であればよい。具体的には、実施例に示すへ字状の他、台形状、逆Ｕ字状などが考えられる。
なお、係止片は蓋体を容器本体に深く嵌装したときに、必ずしも容器本体開口部の周縁部の下縁直近に位置していなくともよい。係止片が周縁部の下縁の下方に位置する構成であっても、蓋を開けようとしたときに係止片が周縁部の下縁に係止して蓋を取り外すことができなければ、封緘目的を達することができる。
前記破断案内部は、蓋体の周壁を容易に破断させるためのものであり、具体的にはミシン目や溝などが考えられる。そして、蓋体の周壁下縁に摘み片を連設し、摘み片の両側に切断案内部を設けるとよい。破断案内部と摘み片の設置位置は摘み片を引き上げる力が破断案内部に伝わり破断案内部が破断できる位置であれば、実施例の位置に限られるものではない。また、破断案内部の長さは素材の材質などを勘案して決定する。
【発明の効果】
【０００９】
この発明において、蓋を被せる際は通常の要領で容器本体の開口部に蓋体を当てがい、下方へ押し下げる。このとき、係止片は容器本体の周縁部上面に押されて外側へ弾性変形するので、蓋体を容器本体に嵌装することができる。蓋体が容器本体に嵌装されると、蓋体の係止片は弾性により原状に復帰し、容器本体の周縁部の下縁に対峙して開いた状態となる。
この状態で、そのまま蓋を外そうとして蓋を引き上げると、係止片は容器本体の周縁部の下縁に係止することとなり、蓋を外すことができない。
他方、蓋体の周壁を破断案内部に沿って破断すると、前記係止を容易に解除することができるので、蓋を外すことができる。
このように、この封緘装置において、蓋を被せる手法は封緘機能のない通常の蓋と全く同じであるから、店頭で容器に商品を詰めて蓋を閉じる場合においても、従来の容器と同様に取り扱うことができる。
【発明を実施するための最良の形態】
【００１０】
図において、容器本体１の開口部の周縁には断面凸弧状のフランジ２が形成してあり、このフランジ２の端部３は下向きをなしている。
他方、蓋体４は、前記容器本体のフランジ２の下縁６よりも下方に至る深さの周壁５を有し、この周壁５の前記フランジ２の下縁６の下方に対応する位置に、内側斜め上向に突出した係止片７が複数等間隔で形成してある。この係止片７は、蓋体４の周壁５を正面へ字状に打ち抜き、打ち抜き作業と同時に打ち抜かれた部分を蓋体４の内側向きにプレス成形または加熱するなどの手段によって保形して形成してある。
【００１１】
前記蓋体４の周壁５の下縁９には摘み片８が連設してある。図には逆台形の形状を示してあるが、摘むことができれば形状、大きさを問わない。この摘み片は１箇所設ければ足りるが、複数設けてもよい。
前記摘み片８の左右両縁と 蓋体４の周壁５の下縁９との交点を起点として、上向きにミシン目１０が形成してある。
【００１２】
上記実施形態において、容器本体１に蓋体４を嵌めるときは、蓋体４を容器本体１の開口部に当てがい、通常の要領で押し込む。このとき内向きの係止片７は容器本体１のフランジ２に押されて蓋体側へ弾性変形するので、蓋体４を容器本体１にはめ込むことができる。係止片７がフランジ２の下縁３を通過すると、係止片７は弾性により原状に復帰して内側に突出する。
【００１３】
この状態で蓋体４を取り外そうとして上向きに引き上げると、係止片７が容器本体１のフランジの下縁６に係止するので、蓋体４を引き上げることができず、容器は開口しない。
他方、摘み片９を斜め上方へ引き上げると、蓋体４の周壁５はミシン目１０に沿って破断されるので、係止片７と容器本体１のフランジ下縁６との係合は解除され、蓋体を外すことができ、容器を開口することができる。
【００１４】
図３は係止片７の形成方法の一例を示すものである。形成具１１は、刃部１２と押し込み部１３とで構成してある。前記刃部１２は前記押し込み部１３よりも突出させてあり、押し込み部１３は加熱されている。
このように構成された形成具１１を蓋体４の周壁５に押しつけると、前記刃部１２によって周壁が所定の形状（例えば正面へ字状）にカットされ、次いで押し込み部１３によってカットされた部分が内側へ押し込まれ、加熱により保形され、係止片７が得られる。
【００１５】
係止片の形成は、蓋体４を容器本体１に装着する前に行うのが通常であるが、容器本体１に内容物を収納し、蓋体４を容器本体１に装着した後に行うこともできる。
【産業上の利用可能性】
【００１６】
この発明は、通常の要領によって蓋を被せることができ、かつ細かな成形条件も要求されずに確実な封緘機能を得ることができるものであって、産業上の利用可能性を有するものである。
【図面の簡単な説明】
【００１７】
【図１】この発明実施形態の要部の断面図
【図２】同じく蓋体の一部を省略した一部拡大正面図
【図３】この発明の係止片の製造方法を示す断面図
【符号の説明】
【００１８】
１    容器本体
２    フランジ
３    フランジの端部
４    蓋体
５    蓋体の周壁
６    フランジの下縁
７    係止片
８    摘み片
９    蓋体周壁の下縁
１０  ミシン目
【図１】
2006321499.tif 000003
【図２】
2006321499.tif 000004
【図３】
2006321499.tif 000005